(57)【要約】      （修正有）【課題】堅固に着用可能になる、ヘッドマウント固定装置を提供する。【解決手段】ヘッドフレーム１０の２つのサイドフレーム１１は頭部の両側に当接し、ヘッドフレームのフロントフレーム１２は２つのサイドフレームの間に位置していると共に額に当接する。ヘッドバンド３０はヘッドフレームの２つの第一調整部材１３に可動に連接され、これにより、ヘッドバンドにおけるヘッドフレームの２つの第一調整部材の位置を調整することにより、額におけるフロントフレームの位置を調整する。ホルダー２０の一端はフロントフレームに連結され、対向する他端はヘッドバンドに連結され、ホルダーが頭頂部に当接する。ヘッドバンドは頭部の後方を包囲するように当接する。サイドフレーム、フロントフレーム、ホルダー、及びヘッドバンドを頭部に当接することで頭部に対するヘッドマウント固定装置１の移動を制限し、ヘッドマウント固定装置が揺れ動かない。【選択図】図２
0003235606.tif 000002
【実用新案登録請求の範囲】
【請求項１】
２つのサイドフレームと、前記２つのサイドフレームの間に位置していると共に前記２つのサイドフレームに連接されているフロントフレームと、前記２つのサイドフレームにそれぞれ設置されている２つの第一調整部材とを含み、前記２つのサイドフレームはユーザーの頭部の両側に当接し、前記フロントフレームは前記ユーザーの額に当接し、前記２つのサイドフレーム及び前記フロントフレームは硬い材質であるヘッドフレームと、
第一端は前記フロントフレームに連結され、前記ユーザーの頭頂部に当接するホルダーと、
前記ホルダーの第二端に連結され、且つ前記２つの第一調整部材に可動に連接され、前記頭部の後方を包囲するように当接し、前記ホルダーの前記第二端は前記第一端に対向しているヘッドバンドと、を備え、
前記２つのサイドフレーム、前記フロントフレーム、前記ホルダー、及び前記ヘッドバンドを前記頭部に当接することで前記頭部に対するヘッドマウント固定装置の移動を制限し、
前記ヘッドバンドにおける各前記第一調整部材の位置を調整することで前記額における前記フロントフレームの位置を調整することを特徴とする、
ヘッドマウント固定装置。
【請求項２】
前記ヘッドフレームに連接されている延長フレームと、前記延長フレームに連接され、且つ前記ユーザーに対面している拡大シートを含む拡大組立部材と、前記延長フレームに連接され、前記拡大組立部材と前記ユーザーとの間に位置し、且つ反射シートを含む反射組立部材であって、前記反射シートは前記ユーザーに背向し、物体側からの物体側光を前記拡大シートに反射し、前記物体側光が前記拡大シートを経て拡大された後、前記拡大シートにより前記ユーザーの目に投射される反射組立部材と、をさらに備えていることを特徴とする請求項１に記載のヘッドマウント固定装置。
【請求項３】
前記反射シートは凸面鏡であり、前記拡大シートは凹面鏡であることを特徴とする請求項２に記載のヘッドマウント固定装置。
【請求項４】
前記拡大組立部材及び前記反射組立部材のうちの少なくとも１つは前記延長フレームに枢着され、且つ前記拡大組立部材及び前記反射組立部材のうちの少なくとも１つは前記延長フレームとの各枢着箇所に第二シャフトが設置されていることを特徴とする請求項２に記載のヘッドマウント固定装置。
【請求項５】
前記ホルダーは少なくとも１つの伸縮可能な構成を有し、前記ホルダーを伸縮することにより前記頭部に対する前記ヘッドマウント固定装置の貼着度を調整することを特徴とする請求項１に記載のヘッドマウント固定装置。
【請求項６】
前記ホルダーの前記第一端は前記フロントフレームに枢着されていることを特徴とする請求項１に記載のヘッドマウント固定装置。
【請求項７】
前記フロントフレームの前記頭部に向けられた表面にはガスケットが設置され、前記ガスケットは前記頭部に当接することを特徴とする請求項１に記載のヘッドマウント固定装置。
【請求項８】
前記２つのサイドフレームは前記フロントフレームに枢着され、前記２つのサイドフレーム及び前記フロントフレームの各枢着箇所には第一シャフトが設置されていることを特徴とする請求項１に記載のヘッドマウント固定装置。
【請求項９】
前記第一調整部材は留め具であることを特徴とする請求項１に記載のヘッドマウント固定装置。
【請求項１０】
前記ヘッドバンドには前記ヘッドバンドの長さを調整するための第二調整部材が設置されていることを特徴とする請求項１に記載のヘッドマウント固定装置。  
【考案の詳細な説明】
【技術分野】
【０００１】
本考案は、固定装置に関し、より詳しくは、ヘッドマウント固定装置に関する。
【背景技術】
【０００２】
近くの物を長期間見続けることが近視に陥る主因であることは医学的に証明されている。基本的には、物体側から目までの視覚的距離が長くなるほど目の健康には良いとされている。しかしながら、閲読、筆記、或いはモバイル電子装置（例えば、携帯電話やタブレット端末）のスクリーンを見る場合、視覚的距離が長くなるほど視覚的識別能力が低下してしまい、容易に眼精疲労を引き起こす。このため、視覚的識別能力を保持した状態で視覚的距離を伸ばすには、例えば物体側の虚像を人の目に投射する技術等の新たな科学技術による補助が必要であった。従来の特許文献では、例えば、下記特許文献１〜１４に記載のように、さらにヘッドマウント固定装置を組み合わせている。
【先行技術文献】
【特許文献】
【０００３】
【特許文献１】台湾登録実用新案第５３６３６２号公告
【特許文献２】中国特許出願第１０２６９２７１０号公告
【特許文献３】台湾登録実用新案第５５０５７２号公告
【特許文献４】中国登録実用新案第２０３６０８２８２号公告
【特許文献５】台湾特許出願第５１８３６９号公告
【特許文献６】中国登録実用新案第２０３０５７２４９号公告
【特許文献７】台湾特許出願第５６３３６１号公告
【特許文献８】台湾特許出願第２９８６２５号公告
【特許文献９】台湾登録実用新案第２０１６０８２７９号公告
【特許文献１０】中国登録実用新案第２０１０６０３１８号公告
【特許文献１１】台湾登録実用新案第５４１４０４号公告
【特許文献１２】台湾登録実用新案第５３５８１１号公告
【特許文献１３】台湾登録実用新案第５９２０８４号公告
【特許文献１４】台湾登録実用新案第５４８２７５号公告
【特許文献１５】台湾登録実用新案第６５４４４４号公告
【考案の概要】
【考案が解決しようとする課題】
【０００４】
しかしながら、特許文献１及び特許文献１５（図１参照）にはヘッドマウント固定装置の記載があるが、このような固定装置の設計には着用が不安定になるという問題があった。
【０００５】
本考案者は上記の欠点が改善可能と考え、鋭意検討を重ねた結果、理的設計で上記の課題を効果的に改善する本考案の提案に至った。
【０００６】
本考案は、このような従来の問題に鑑みてなされたものであり、上記課題解決のため、本考案は、ヘッドマウント固定装置を提供することを主目的とする。
【課題を解決するための手段】
【０００７】
上記課題を解決するために、本考案のある態様のヘッドマウント固定装置は、２つのサイドフレームと、前記２つのサイドフレームの間に位置していると共に前記２つのサイドフレームに連接されているフロントフレームと、前記２つのサイドフレームにそれぞれ設置されている２つの第一調整部材とを含み、前記２つのサイドフレームはユーザーの頭部の両側に当接するために用い、前記フロントフレームは前記ユーザーの額に当接するために用い、前記２つのサイドフレーム及び前記フロントフレームは硬い材質であるヘッドフレームと、第一端は前記フロントフレームに連結され、前記ユーザーの頭頂部に当接するために用いているホルダーと、前記ホルダーの第二端に連結され、且つ前記２つの第一調整部材に可動に連接され、前記頭部の後方を包囲するように当接し、前記ホルダーの前記第二端は前記第一端に対向しているヘッドバンドと、を備え、前記２つのサイドフレーム、前記フロントフレーム、前記ホルダー、及び前記ヘッドバンドを前記頭部に当接することで前記頭部に対する前記ヘッドマウント固定装置の移動を制限し、前記ヘッドバンドにおける各前記第一調整部材の位置を調整することで前記額における前記フロントフレームの位置を調整する。
【０００８】
本考案の好適例において、前記ヘッドマウント固定装置は、前記ヘッドフレームに連接されている延長フレームと、前記延長フレームに連接され、且つ前記ユーザーに対面している拡大シートを含む拡大組立部材と、前記延長フレームに連接され、前記拡大組立部材と前記ユーザーとの間に位置し、且つ反射シートを含む反射組立部材であって、前記反射シートは前記ユーザーに背向し、物体側からの物体側光を前記拡大シートに反射し、前記物体側光が前記拡大シートを経て拡大された後、前記拡大シートにより前記ユーザーの目に投射される反射組立部材と、をさらに備えている。
【０００９】
本考案の好適例において、前記反射シートは凸面鏡であり、前記拡大シートは凹面鏡である。
【００１０】
本考案の好適例において、前記拡大組立部材及び前記反射組立部材のうちの少なくとも１つは前記延長フレームに枢着され、且つ前記拡大組立部材及び前記反射組立部材のうちの少なくとも１つは前記延長フレームとの各枢着箇所に第二シャフトが設置されている。
【００１１】
本考案の好適例において、前記ホルダーは少なくとも１つの伸縮可能な構成を有し、前記ホルダーを伸縮することにより前記頭部に対する前記ヘッドマウント固定装置の貼着度を調整する。
【００１２】
本考案の好適例において、前記ホルダーの前記第一端は前記フロントフレームに枢着されている。
【００１３】
本考案の好適例において、前記フロントフレームの前記頭部に向けられた表面にはガスケットが設置され、前記ガスケットは前記頭部に当接するために用いている。
【００１４】
本考案の好適例において、前記２つのサイドフレームは前記フロントフレームに枢着され、且つ前記２つのサイドフレームと前記フロントフレームとの各枢着箇所には第一シャフトが設置されている。
【００１５】
本考案の好適例において、前記第一調整部材は留め具である。
【００１６】
本考案の好適例において、前記ヘッドバンドには前記ヘッドバンドの長さを調整するための第二調整部材が設置されている。
【考案の効果】
【００１７】
本考案に係るヘッドマウント固定装置はヘッドフレーム、ホルダー、及びヘッドバンドをユーザー頭部に当接することで頭部に対するヘッドマウント固定装置の移動を制限し、ユーザーがヘッドマウント固定装置を堅固に着用可能になる。また、ヘッドフレームのフロントフレーム及びフロントフレームの対向する両側に位置している２つのサイドフレームが頭部に貼り付いてヘッドマウント固定装置がさらに堅固に着用される。
【００１８】
本明細書及び図面の記載により、少なくとも、以下の事項が明らかとなる。
【図面の簡単な説明】
【００１９】
【図１】従来のヘッドマウント表示装置に適用されるヘッドマウント固定装置を示す概略構成図である。
【図２】本考案の一実施例に係るヘッドマウント固定装置を示す概略構成図である。
【図３】本考案の一実施例に係るヘッドマウント固定装置の部分拡大図であって、第一調整部材を示す構成である。
【図４】本考案の一実施例に係るヘッドマウント固定装置を示す上面図である。
【図５】本考案の一実施例に係るヘッドマウント固定装置の側面図であって、ホルダーが曲げ可能なものを示す。
【図６】本考案の一実施例に係るヘッドマウント固定装置の部分拡大図であって、ヘッドバンドの第二調整部材を示す構成である。
【図７】本考案の一実施例に係るヘッドマウント固定装置を示す背面図である。
【図８】本考案の一実施例に係るユーザーがヘッドマウント固定装置を着用する概略図である。
【図９】本考案の他の実施例に係るヘッドマウント固定装置の側面図であって、反射組立部材が延長フレームに対して枢動するものを示す。
【考案を実施するための形態】
【００２０】
以下に図面を参照して、本考案を実施するための形態について、詳細に説明する。なお、本考案は、以下に説明する実施形態に限定されるものではない。
【００２１】
まず、図２〜８を参照しながら、本考案に係るヘッドマウント固定装置１を詳しく説明する。
【００２２】
本考案の一実施例に係るヘッドマウント固定装置１はユーザーの頭部２に着用するのに適している。ヘッドマウント固定装置１はヘッドフレーム１０と、ホルダー２０と、ヘッドバンド３０と、延長フレーム４０と、拡大組立部材５０と、反射組立部材６０と、を備えている。
【００２３】
ヘッドフレーム１０は、２つのサイドフレーム１１と、２つのサイドフレーム１１の間に位置しているフロントフレーム１２と、２つのサイドフレーム１１にそれぞれ設置されている２つの第一調整部材１３と、を備えている。本実施例では、２つのサイドフレーム１１はフロントフレーム１２の対向する両端にそれぞれ枢着されている。具体的には、２つのサイドフレーム１１の前端とフロントフレーム１２との各枢着箇所には、例えば、第一シャフト１５が設置されている。しかしながら、本考案はこの枢着態様に限定されない。よって、使用しない場合は前記２つのサイドフレーム１１を折り畳み可能である。他の実施例では、２つのサイドフレーム１１及びフロントフレーム１２が一体成形されていてもよい。
２つのサイドフレーム１１は頭部２の両側に当接するために用い、フロントフレーム１２はユーザーの額に当着するために用いている。２つのサイドフレーム１１及びフロントフレーム１２は共に硬い材質であり、例えばプラスチックであるが、これに制限しない。第一調整部材１３は、制限しないが例えば留め具であり、図３に示されるように、カバー１３１と、係合孔１３２と、２つの貫通穴１３３と、を備えている。カバー１３１は係合孔１３２に係入可能である。２つの貫通穴１３３はヘッドバンド３０を貫設するために用いている。本実施例、或いは他の実施例では、フロントフレーム１２は頭部２に向けられた表面にガスケット１４が設置され、ガスケット１４は額に当接するために用い、着用の快適性を高めている。
【００２４】
ホルダー２０は、第一端２１と、第一端２１に対する第二端２２と、第一端２１と第二端２２との間に位置している少なくとも１つの伸縮可能な構成２３と、を備えている。ホルダー２０の第一端２１はフロントフレーム１２に枢着されている。ホルダー２０の第二端２２はヘッドバンド３０を貫設するための２つの貫通孔２４を有している。伸縮可能な構成２３は、制限しないが例えば弾性材質の波状構造であるため、引っ張る、圧縮する、湾曲する等が可能である。
【００２５】
ヘッドバンド３０は、制限しないが例えば織物や弾性材料で製造されている。ヘッドバンド３０には第二調整部材３２が設置されている。第二調整部材３２は、制限しないが例えば面ファスナーである。面ファスナーである例では、第二調整部材３２が少なくとも１つの第一接合部材３３及び少なくとも１つの第二接合部材３４を備え、第一接合部材３３は第二接合部材３４に取り外し可能に接合されている。
本実施例では、図６のように、第二調整部材３２はヘッドバンド３０の対向する両端部３１にそれぞれ設置されている２つの第一接合部材３３と、対向する両端部３１の間に位置している１つの第二接合部材３４とを含み、且つ第一接合部材３３及び第二接合部材３４は共にヘッドバンド３０の同じ表面に位置している。しかしながら、本考案は上述の例に限定されない。
【００２６】
延長フレーム４０はヘッドフレーム１０に連接され、且つヘッドフレーム１０からユーザーから離れる方向へと延伸されている。例えば、延長フレーム４０は２つの支持アーム４１を備え、且つフロントフレーム１２の対向する両端に位置している。そのうちの一方の支持アーム４１の一端は、例えば、フロントフレーム１２の一端及びサイドフレーム１１の境界箇所に連接され、もう一方の支持アーム４１の一端は、例えば、フロントフレーム１２の対向する他端及び他のサイドフレーム１１の境界箇所に連接されている。しかしながら、本考案は上述の例に制限されない。また、本実施例では、フロントフレーム１２及び延長フレーム４０は一体成形されている。他の実施例では、延長フレーム４０がフロントフレーム１２に枢着されるように改変してもよい。
【００２７】
拡大組立部材５０は第一支持部材５１及び拡大シート５２を備えている。前記第一支持部材５１は延長フレーム４０の２つの支持アーム４１の対向する他端に連接されている。拡大シート５２は支持部材５１に設置され、且つユーザーに対面している。拡大シート５２は、制限しないが例えば凹面鏡である。本実施例では、延長フレーム４０及び支持部材５１は一体成形されている。他の実施例では、支持部材５１が２つの支持アーム４１に枢着されるように改変してもよい。
図９を参照する。支持部材５１及び２つの支持アーム４１の各枢着箇所には第二シャフトＧ２が設置され、拡大組立部材５０の傾斜角度を調製可能である。しかしながら、本考案はこの枢着態様に限定されない。
【００２８】
反射組立部材６０は第二支持部材６１及び反射シート６２を備えている。前記第二支持部材６１は延長フレーム４０の２つの支持アーム４１の対向する２つの位置に枢着され、反射組立部材６０が拡大組立部材５０とユーザーとの間に位置している。具体的には、第二支持部材６１及び各支持アーム４１の枢着箇所には第二シャフトＧ３が設置され、反射組立部材６０の傾斜角度が調整可能である（図２と図８参照）。しかしながら、本考案はこの枢着態様に限定されない。反射シート６２はユーザーに背向している。反射シート６２は、制限しないが例えば凸面鏡である。
【００２９】
ヘッドマウント固定装置１を着用する場合、まずヘッドバンド３０の対向する両端部３１をヘッドフレーム１０の２つの第一調整部材１３の貫通穴１３３にそれぞれ貫通し、且つヘッドバンド３０の対向する両端部３１をホルダー２０の２つの貫通穴２４にそれぞれ貫通する（図２乃至図７参照）。
次に、図８に示すように、フロントフレーム１２を額に当接し、第一当接点を提供する。２つのサイドフレーム１１を頭部２の両側に当接し、２つの第二当接点を提供する。ヘッドバンド３０を頭部２の後方に包囲するように当接し、第三当接点を提供する。ホルダー２０を湾曲すると共に頭頂部に当接し、第四当接点を提供する。その後、フロントフレーム１２に対する各サイドフレーム１１の角度を調整することでヘッドフレーム１０が頭部２に貼り付く程度を調節する。ヘッドバンド３０における第一調整部材１３の位置を調整することで、後頭部に当接するヘッドバンド３０の位置及び額におけるフロントフレーム１２の位置を調整する。ヘッドバンド３０におけるホルダー２０の第二端２２の貫通穴２４の位置を調整することでホルダー２０が頭頂部に貼り付く程度を調節する。その後、各第一調整部材１３のカバー１３１を対応する係合孔１３２中に係入し、ヘッドバンド３０に対する第一調整部材１３の移動を制限する。
ヘッドバンド３０の各第一接合部材３３を対応する第二接合部材３４に接合し、使用時のヘッドバンド３０の長さを決定し、且つホルダー２０の移動を制限する。これにより、ヘッドマウント固定装置１とユーザーの頭部２との間にある第一当接点乃至第四当接点が頭部２に対するヘッドマウント固定装置１の移動をさらに制限して揺れ動かないようにしている。
【００３０】
ユーザーが図９に示されるヘッドマウント固定装置１を着用して閲読、筆記、或いはモバイル電子装置のスクリーンを見る場合、支持アーム４１に対する反射組立部材６０の角度を調整するか、第二シャフトＧ３を回転することで反射組立部材６０の傾斜角度を調整し、物体側（すなわち、本やモバイル電子装置のスクリーン）が反射シート６２の入射範囲（すなわち、光線の入射角がカバーする範囲）内に収まるようにし、且つ支持アーム４１に対する拡大組立部材５０の角度を調整するか、第二シャフトＧ２を回転することで拡大組立部材５０の傾斜角度を調整し、拡大シート５２が反射シート６２の反射範囲（すなわち、光線の反射角がカバーする範囲）内に収まるようにする。これにより、反射シート６２が物体側からの物体側光を拡大シート５２に反射する。
拡大シート５２がユーザーに対面しているため、拡大シート５２を経て拡大された後の物体側光が拡大シート５２によりユーザーの目に投射される。この際、ユーザーは拡大シート５２を通して本やスクリーン上の文字や画像を見ることができ、且つ拡大シート５２上の文字や画像のサイズが本やスクリーンに実際にあるその文字や画像のサイズ以上となる。これにより、長期間近くの物を見続けることで視力が低下する問題を緩和または回避する。
【００３１】
以上、本考案を実施の形態をもとに説明した。この実施の形態は例示であり、それらの各構成要素や各処理プロセスの組合せにいろいろな変形例が可能なこと、またそうした変形例も本考案の範囲にあることは当業者に理解されるところである。
【符号の説明】
【００３２】
１  ヘッドマウント固定装置
２  頭部
１０  ヘッドフレーム
１１  サイドフレーム
１２  フロントフレーム
１３  第一調整部材
１３１  カバー
１３２  係合孔
１３３  貫通穴
１４  ガスケット
１５  第一シャフト
２０  ホルダー
２１  第一端
２２  第二端
２３  伸縮可能な構成
２４  貫通穴
３０  ヘッドバンド
３１  端部
３２  第二調整部材
３３  第一接合部材
３４  第二接合部材
４０  延長フレーム
４１  支持アーム
Ｇ２  第二シャフト
Ｇ３  第二シャフト
５０  拡大組立部材
５１  第一支持部材
５２  拡大シート
６０  反射組立部材
６１  第二支持部材
６２  反射シート
【図１】
0003235606.tif 000003
【図２】
0003235606.tif 000004
【図３】
0003235606.tif 000005
【図４】
0003235606.tif 000006
【図５】
0003235606.tif 000007
【図６】
0003235606.tif 000008
【図７】
0003235606.tif 000009
【図８】
0003235606.tif 000010
【図９】
0003235606.tif 000011